(57)【要約】【課題】濾過フィルターに付着した塵埃を全体的に除去する効果を高めた電気掃除機を提供すること。【解決手段】塵埃を吸引する吸引風を発生させるための電動送風機２１と、この吸引風によって集塵した塵埃を濾過するための濾過フィルター２７ｂと、濾過フィルター２７ｂで濾過した塵埃を溜める集塵ケース５と、濾過フィルター２７ｂのフィルター面に付着した塵埃を除塵する除塵機構５１とを設けた電気掃除機であって、除塵機構５１を振動子モーター５５で振動させる構成であり、濾過フィルター２７ｂのフィルター面に高速の円振動を与えて、効果的に除塵することができる。【選択図】図２
2011055975.tif 000002
【特許請求の範囲】
【請求項１】
塵埃を吸引する吸引風を発生させるための電動送風機と、この吸引風によって集塵した塵埃を濾過するための濾過フィルターと、前記濾過フィルターで濾過した塵埃を溜める集塵ケースと、前記濾過フィルターのフィルター面に付着した塵埃を除塵する除塵機構とを設けた電気掃除機であって、前記除塵機構を振動子モーターで振動させることを特徴とする電気掃除機。
【請求項２】
除塵機構は、除塵子と、前記除塵子に保持された振動子モーターから成ることを特徴とする請求項１記載の電気掃除機。
【請求項３】
（元の請求項４）
除塵子は、濾過フィルターと一体的に成形された請求項３記載の電気掃除機。
【請求項４】
（元の請求項３）
濾過フィルターは、自身の強度を補強する枠体柱をフィルター面に有し、
除塵子は、前記枠体柱とは接触せず、濾過フィルターのフィルター面に接合されている請求項１〜３のいずれか１項記載の電気掃除機。
【請求項５】
枠体柱は除塵子を移動可能に保持している請求項４記載の電気掃除機。
【請求項６】
濾過フィルターは、略円筒形の第１の濾過フィルターと、前記第１の濾過フィルターの下流側に設けられた略円筒形の第２の濾過フィルターとで構成され、
第１の除塵子は前記第２の濾過フィルターの外周形状に合わせたリング状をしていることを特徴とする請求項１〜５のいずれか１項記載の電気掃除機。
【請求項７】
第２の濾過フィルターは、メンブレン濾過膜をプリーツ状にした請求項６記載の電気掃除機。
【請求項８】
第１の濾過フィルターは、金属板、もしくは樹脂板に約１００〜３００μｍの通気孔を無数に開口した請求項６または７記載の電気掃除機。
【請求項９】
振動伝播部を有する第２の除塵子を第１の濾過フィルターの外周に取り付け、前記振動伝播部を第２の濾過フィルターの内面に当接して、第１の除塵子と前記第２の除塵子を前記第２の濾過フィルターを介して連結した請求項６〜８のいずれか１項記載の電気掃除機。
【請求項１０】
振動子モーターは、電動送風機が吸引動作中も動作することを特徴とした請求項１〜９のいずれか１項記載の電気掃除機。
【請求項１１】
除塵機構と、前記除塵機構を駆動する充電池とを同じ集塵ケース内に備えた請求項１〜１０のいずれか１項記載の電気掃除機。
【発明の詳細な説明】
【技術分野】
【０００１】
本発明は、粗塵と細塵を濾過する濾過フィルターを効率よく除塵し、塵埃を吸引しても吸込力が低下しにくい電気掃除機に関するものである。
【背景技術】
【０００２】
近年、吸引風の気流に旋回成分を持たせ、遠心力により気流から塵埃を分離除去するタイプの電気掃除機、いわゆるサイクロン型の電気掃除機が注目を浴びている。この種の電気掃除機は、塵埃を含んだ空気流を集塵ケース内に導入する際、集塵ケース内に旋回気流を発生させて、旋回気流の遠心力により空気流から塵埃を分離し、分離した塵埃を集塵ケース内に堆積させる構成が採用され、集塵ケースと電動送風機との連通部分には濾過フィルターが設けられている（例えば、特許文献１参照）。
【０００３】
特許文献１に記載されたように、集塵ケース内に粗塵を濾過分離する第１の濾過フィルターと、その下流に細塵を濾過分離する第２の濾過フィルターとを配置するのが一般的である。
【先行技術文献】
【特許文献】
【０００４】
【特許文献１】特開２００８−８０１４６号公報
【発明の概要】
【発明が解決しようとする課題】
【０００５】
しかしながら、第２の濾過フィルター表面には濾過した細塵が付着し易く、この細塵を除去するために、第２の濾過フィルター下流側に除塵子を設け、ばね力によって除塵子をフィルター面に叩きつけ、その衝撃力で細塵を除去している。しかし、塵埃を除去する能力を高めるため、フィルター面に除塵子を叩きつける衝撃力をさらに高めると、第２の濾過フィルターが座屈して破損してしまう。
【０００６】
その破損事故を避けるには、ばねの反発力をある程度に制限する必要があり、除塵子からの衝撃力が局所しか伝搬しないために、局所的な除塵しかできなかった。即ち、第２の濾過フィルターを破損せずに濾過フィルター全体を除塵することが困難であった。
【０００７】
本発明は、このような課題を解決するもので、濾過フィルターに付着した塵埃を除去する効果を高めた電気掃除機を提供することを目的とする。
【課題を解決するための手段】
【０００８】
上記目的を達成するために、本発明の電気掃除機は、塵埃を吸引する吸引風を発生させるための電動送風機と、この吸引風によって集塵した塵埃を濾過するための濾過フィルターと、前記濾過フィルターで濾過した塵埃を溜める集塵ケースと、前記濾過フィルターのフィルター面に付着した塵埃を除塵する除塵機構とを設けた電気掃除機であって、前記除塵機構を振動子モーターで振動させることを特徴とする構成である。
【０００９】
これにより、振動子モーターの円運動の高速振動が除塵子を介して濾過フィルターに伝わるので、濾過フィルターのフィルター面に付着した塵埃を効果的に剥離して除去することができる。
【発明の効果】
【００１０】
本発明の電気掃除機は、振動子モーターの円運動の高速振動が除塵子を介して濾過フィルターに伝えて、濾過フィルターのフィルター面に付着した塵埃を効果的に除去することができ、高い吸引力を長時間維持できる。
【図面の簡単な説明】
【００１１】
【図１】本発明の実施の形態１における電気掃除機の全体構成図
【図２】同電気掃除機の本体要部の構成を示す断面図
【図３】（ａ）同電気掃除機の集塵ケースの正断面図、（ｂ）同集塵ケースの側断面図、（ｃ）（ｂ）のＡ−Ａ断面図、（ｄ）（ｂ）のＢ−Ｂ断面図
【図４】（ａ）同電気掃除機の集塵ケースにおける吸引口付近の気流を示す平断面図、（ｂ）同集塵ケースにおける濾過フィルター付近の気流の流れを示す平断面図、（ｃ）同集塵ケースにおける縦方向の気流の流れを示す縦断面図
【図５】同実施の形態１に係る集塵ケースの構造を示す要部断面図
【図６】図５のＣ−Ｃ断面図
【図７】同実施の形態１に係る振動子モーターの周辺構造を示す要部断面図
【図８】実施の形態２に係る集塵ケースの構造を示す要部断面図
【発明を実施するための形態】
【００１２】
第１の発明は塵埃を吸引する吸引風を発生させるための電動送風機と、この吸引風によって集塵した塵埃を濾過するための濾過フィルターと、前記濾過フィルターで濾過した塵埃を溜める集塵ケースと、前記濾過フィルターのフィルター面に付着した塵埃を除塵する除塵機構とを設けた電気掃除機であって、前記除塵機構を振動子モーターで振動させることを特徴とする電気掃除機である。
【００１３】
これにより、振動子モーターの円運動の高速振動が除塵子を介して濾過フィルターに伝えて、濾過フィルターのフィルター面に付着した塵埃を効果的に除去することができ、高い吸引力を長時間維持できる。
【００１４】
振動子モーターによる振り子の原理により、フィルター面には、左右前後方向に振幅が作用すると同時に、モーターの回転数×駆動時間分の振動数が作用するため、除塵のための振動をより効果的にフィルター面に寄与させることができる。
【００１５】
第２の発明は、特に第１の発明の除塵機構が、除塵子と、前記除塵子に保持された振動子モーターから成ることにより、振動子モーターの高速振動が直接除塵子に伝わり、振動子モーターの振動エネルギーを減衰させることなく、濾過フィルターのフィルター面に作用させ、効率よく除塵することができる。
【００１６】
第３の発明は、特に第１または第２の発明において、除塵子は、濾過フィルターと一体的に成形されたことにより、除塵子の挙動が減衰せずにそのまま濾過フィルターに伝わり、振動子モーターの振動をそのまま濾過フィルターに伝えるので、良好な除塵効果が得られる。
【００１７】
第４の発明は、特に第１〜第３のいずれか１つの発明において、濾過フィルターは、自身の強度を補強する枠体柱をフィルター面に有し、除塵子は、前記枠体柱とは接触せず、濾過フィルターのフィルター面に接合されていることにより、濾過フィルターの強度を確保しながら、振動子モーターの振動を減衰させずに濾過フィルターへ伝播させて、除塵効果を高めることができる。
【００１８】
第５の発明は、特に第４の発明において、枠体柱は除塵子を移動可能に保持していることにより、除塵子の振動を減衰させずに濾過フィルターのフィルター面へ伝播させて、濾
過フィルターの変位と除塵子の変位差から生じる衝撃を受けることなり、除塵効果をさらに高めることができる。
【００１９】
第６の発明は、特に第１〜第５のいずれか１つの発明において、濾過フィルターは、略円筒形の第１の濾過フィルターと、前記第１の濾過フィルターの下流側に設けられた略円筒形の第２の濾過フィルターとで構成され、第１の除塵子は前記第２の濾過フィルターの外周形状に合わせたリング状をしていることにより、除塵子の前後左右の振り子現象による振動衝撃が、どこかのフィルター面に確実に作用させることができる。
【００２０】
第７の発明は、特に第７の発明の第２の濾過フィルターは、メンブレン濾過膜をプリーツ状にしたことにより、除塵子を介して伝わる振動子モーターからの振動を確実に作用さて自陣することができる。
【００２１】
第８の発明は、特に第６または第７の発明の第１の濾過フィルターは、金属板、もしくは樹脂板に約１００〜３００μｍの通気孔を無数に開口したことにより、振動子モーターからの除塵子の振動が濾過フィルターの剛性と共振して、より振幅を増大させることが可能となる。
【００２２】
第９の発明は、特に第６〜第８のいずれか１つの発明において、振動伝播部を有する第２の除塵子を第１の濾過フィルターの外周に取り付け、前記振動伝播部を第２の濾過フィルターの内面に当接して、第１の除塵子と前記第２の除塵子を前記第２の濾過フィルターを介して連結したことにより、１つの振動子モーターで第１及び第２の濾過フィルターを高速振動させて、効率よく同時に除塵することが可能となる。
【００２３】
第１０の発明は、特に第１〜第９のいずれか１つの発明において、振動子モーターは、電動送風機が吸引動作中も動作することにより、第１の濾過フィルターを振動させながら吸引すると、第１の濾過フィルターの濾過性能を向上することができ、特にリント細塵のフィルター面への引っ掛かりによる付着を抑止することができる。
【００２４】
第１１の発明は、特に第１〜第１０のいずれか１つの発明において、除塵機構と、前記除塵機構を駆動する充電池とを同じ集塵ケース内に備えたことにより、掃除作業者が集塵ケースを取り外して持ち運んでも、充電池からの電源供給で除塵機構を動作させ、濾過フィルターを入念に除塵（メンテナンス）することができ、手を汚さずに作業することが可能となる。
【００２５】
以下、本発明の実施の形態について、図面を参照しながら説明する。なお、本実施の形態によって本発明が限定されるものではない。
【００２６】
（実施の形態１）
図１は本発明の実施の形態１における電気掃除機の全体構成を示す全体構成図、図２は同電気掃除機の本体の断面構造を示す断面図、図３は同電気掃除機の集塵ケースの構造を示す構成図である。
【００２７】
図１に示すように、掃除機本体１の下部には、車輪３およびキャスター４が取り付けられており、掃除機本体１は床面を自在に移動できる。集塵ケース５上部に設けられた吸引口６には、ホース７、延長管８が順次接続されており、延長管８の先端に吸込具９を取り付けている。
【００２８】
図２に示すように、掃除機本体１内には、電動送風機２１が内蔵され、電動送風機２１の上流側には、通気口を有する隔壁２６を介して集塵ケース５が掃除機本体１に対して着
脱自在に設置されている。そして、電動送風機２１を運転することにより、家屋の床面上の塵埃を吸引することができ、集塵ケース５は吸引した塵埃を含む空気が導入されるようになっている。
【００２９】
また、集塵ケース５は、径の異なる複数の中空円筒を多段に連ねた形状からなり、上段から順にケース上部２２ａ、ケース中央部２２ｂ、塵埃収容部２４からなる３段構成である。このケース上部２２ａとケース中央部２２ｂとが塵埃分離部２３を構成し、塵埃分離部２３内には円筒状の濾過フィルター２７を設置している。最下段に在る塵埃収容部２４は、塵埃分離部２３で分離した塵埃を堆積する。ケース上部２２ａの接線方向には吸引口６を備えており、吸引口６は塵埃を含む外部の空気をケース上部２２ａの接線方向に沿ってケース上部２２ａ内部へ導入する。
【００３０】
集塵ケース５は、吸引口６から最下段の塵埃収容部２４まで連通されており、吸引口６から電動送風機２１に至る風路は、集塵ケース５の塵埃分離部２３に設けた開口部２５と掃除機本体１の隔壁２６とを連通させて形成している。
【００３１】
この円筒状の濾過フィルター２７は、粗塵を濾過するための円筒形状の第１の濾過フィルター２７ａと、この第１の濾過フィルターより下流側の外周に設けた細塵を濾過するための円筒形状の第２の濾過フィルター２７ｂとの２層構造になっており、集塵ケース５の吸引口６と電動送風機２１とを連通する主風路（第１の風路）２９ａの途中に配置されている。
【００３２】
また、主風路２９ａは、第１の濾過フィルター２７ａ内から第２の濾過フィルター２７ｂ外周へ至る空間全周にわたって構成している。さらに、塵埃収容部２４の上部周辺部に第３の濾過フィルター２８を設け、塵埃収容部２４から第３の濾過フィルター２８及び第２の濾過フィルター２７ｂを経由して電動送風機２１へと連通する副風路（第２の風路）２９ｂを構成している。
【００３３】
次に、図３（ａ）、図３（ｂ）、図３（ｃ）、図３（ｄ）に基づいて、集塵ケース５と円筒状の濾過フィルター２７の詳細について説明する。
【００３４】
図３（ａ）に示すように、集塵ケース５は、縦型の中空円筒を３段に連ねた形状である。図３（ｃ）に示すように、吸引口６は、ケース上部２２ａの円周断面の接線方向から気流が流入するように、ケース上部２２ａの円心から偏心した位置に配置されている。
【００３５】
なお、本実施の形態１では、集塵ケース５を中空円筒状としたが、真円に限定するものではなく、楕円形状、８角形や１０角形などの多角形形状等でもよい。即ち、吸引口６より接線方向から流入した気流が、集塵ケース５の内面に沿って旋回気流を生じさせる形状であれば良い。
【００３６】
また、これと同様に円筒状の濾過フィルター２７は、真円に限定するものではなく、楕円形状や８角形や１０角形などの多角形形状等でもよく、集塵ケース５の内面に沿って発生した旋回気流が、第１の濾過フィルター２７ａ内の円筒中空部で発生し得る形状であれば良い。例えば、吸入口６が中央に位置していても、案内路を用いて旋回気流を発生するように構成しても構わない。
【００３７】
従って、塵埃分離部２３におけるケース上部２２ａ内面に沿って発生した旋回気流ならびに、第１の濾過フィルター２７ａ内の円筒中空部に発生した旋回気流を形成する通路を旋回気流通風路とするものである。
【００３８】
また旋回気流を塵埃収容部２４方向に発生させるよう、吸引口６の配置は、塵埃分離部２３に設けた開口部２５の上端部よりも吸引口６の下端部が上方になるよう配置し、さらに円筒状の濾過フィルター２７の通気部を吸引口６より塵埃収容部２４側に構成されているものである。この様に吸引口６の配置を開口部２５より高くし、濾過フィルター２７の通気部を吸引口６より塵埃収容部２４側に構成することで、吸引口６からケース上部２２ａの接線方向より導入された空気は、開口部２５側の吸引力作用で下方向へ下降しながら水平方向へ旋回する旋回気流を発生する。
【００３９】
図３（ｂ）に示すように、集塵ケース５の下部には、吸引した塵埃を堆積する塵埃収容部２４が設けられており、その塵埃収容部２４の底面は、開閉蓋３１となっており、ヒンジ３２を介して開閉蓋３１を開き、塵埃収容部２４内の塵埃を排出できるように構成されている。
【００４０】
そして、円筒形状の集塵ケース５における吸引口６と塵埃収容部２４の間の内壁には、集塵ケース５と円筒状の濾過フィルター２７の間に濾過フィルター２７の外側全周にわたって空間部３３が形成されており、集塵ケース５内部と電動送風機２１の吸気口がこの空間部３３を介して連通することとなる。さらに、集塵ケース５のケース上部２２ａの内面と第１の濾過フィルター２７ａの内面とは、全体として１つの面となっている。
【００４１】
図３（ｄ）に示すように、円筒状の濾過フィルター２７は、円筒形状の集塵ケース５内部を取り囲むように円筒形状となっている。そして、吸引気流に対して上流側（内側）に位置する第１の濾過フィルター２７ａは、吸引気流中の塵埃から綿埃、毛髪などの比較的サイズの大きい塵埃（粗塵）を除塵するものである。第１の濾過フィルター２７ａの下流側（外側）に位置する第２の濾過フィルター２７ｂは、粒子径の細かい砂塵、花粉、ダニ糞などの塵埃（細塵）を気流中から除塵するものである。
【００４２】
第１の濾過フィルター２７ａは、孔径が１００〜３００ミクロンの微小な通気孔３０をエッチング加工により形成した板状の金属フィルターを円筒状に曲げ加工し、曲げ加工の合わせ目、および上端および下端の枠を樹脂で一体に成型したものである。
【００４３】
第２の濾過フィルター２７ｂは、不織布、パルプ、ガラス繊維、ＨＥＰＡフィルターなどを用いることができる。この実施の形態１では、塵離れ性に優れたＰＴＦＥ膜を不織布に積層したフィルターをプリーツ加工し、ひだ折りした形状部材を連結して円筒状に設置させ、合わせ目、および上端および下端の枠を樹脂で一体に成形したものである。そして、プリーツ形状のフィルターの外周部において、吸引気流の上流側にあたるプリーツ形状部材の内面のくぼみには略Ｕ字形状にＲ＝２〜５ｍｍ程度の丸みを持たせている。
【００４４】
なお、第１の濾過フィルター２７ａ、および第２の濾過フィルター２７ｂは、集塵ケース５の保持部３４との間に弾性、気密性を有した緩衝材３５を介して保持されている。
【００４５】
以上のように構成された本実施の形態１の電気掃除機について、図４（ａ）、図４（ｂ）、図４（ｃ）を基に、含塵空気から塵埃を分離し集塵する動作について説明する。
【００４６】
まず、電動送風機２１を運転開始すると、吸引気流が発生し、吸込具９、延長管８、吸引ホース７を通じて、空気とともに床面からの塵埃が集塵ケース５内に吸い込まれる。このとき、集塵ケース５の吸引口６は、円筒断面に対して接線方向に偏心して設置されているため、図４（ａ）に示すように、吸引口６より流入した気流は、集塵ケース５のケ−ス上部２２ａにおける円筒断面の接線方向から侵入し旋回気流に変化する。
【００４７】
吸引口６の下端は開口部２５の上端よりも上部に配置されているため、吸引口６から流
入する気流は旋回成分を持つとともに、下方向への成分も持つこととなる。そのため、集塵ケース５のケース上部２２ａで発生した旋回気流は、旋回しながら下降し、円筒状の濾過フィルター２７付近に到達する。そして、一部の空気は図４（ｂ）に示すように、第１の濾過フィルター２７ａ、第２の濾過フィルター２７ｂを順次通過し、空間部３３を通って、電動送風機２１に吸引される。
【００４８】
吸引気流と一緒に吸引された塵埃は、気流の流れと共に旋回しながら円筒状の濾過フィルター２７に導かれ、この塵埃の内、髪の毛・糸ゴミなどの粗塵５１は、第１の濾過フィルター２７ａで濾し取られ、砂塵などの細塵５２は、第１の濾過フィルター２７ａを通過し、外側の第２の濾過フィルター２７ｂで濾し取られる。そして、塵埃分離部２３内、および塵埃収容部２４を合わせた容器内を旋回する含塵空気は、図４（ｃ）に示すように、主風路２９ａ、副風路２９ｂの流れで塵埃が分離される。
【００４９】
次に本実施の形態１の除塵機構について、図５〜図７を用いながら詳細に説明する。
【００５０】
図５〜図７に示すように、第２の濾過フィルター２７ｂは、上端カバー５２から下端カバー５３の間にひだ状の複数の山部沿ってそれぞれ第１の枠体柱５４を形成し、第２の濾過フィルター２７ｂと複数の第１の枠体柱５４を一体に成形している。濾過フィルターと第１の枠体柱５４を一体成形することにより、第２の濾過フィルター２７ｂの強度が補強され、第２の濾過フィルター２７ｂの腰折れを防止できる。
【００５１】
図５に示すように、第２の濾過フィルター２７ｂの外周において、ひだ状に折り返した濾過フィルター形状に対し、わずかに隙間を設けたオフセットライン形状の第１の除塵子５１を設けている。この第１の除塵子５１は、第１の枠体柱５４に当接しないように切り欠き部６１を設けて、第２の濾過フィルター２７ｂのフィルター面のみに当接するように形成している。これにより、第１の除塵子５１を振動させた際に、第１の除塵子５１の振動が第１の枠体柱５４で減衰しないようにしている。
【００５２】
そして、第１の枠体柱５４には、半径方向に突出した保持リブ７１に設けており、その保持リブ７１に第１の除塵子５１を摺動可能に保持させて、第１の除塵子５１を第２の濾過フィルター２７ｂに組みつけている。第１の除塵子５１の一部には、振動子モーター５５を納める収納部５６を設けており、この収納部５６内側には、４方向から内側へ突出したリブ７２を設けており、リブ７２で振動子モーター５５の下方位置を保持している。これにより、振動子モーター５５自体の振れを大きくすることができる。
【００５３】
なお、第１の除塵子５１と第２の濾過フィルター２７ｂのフィルター面とを接着剤で接着し、第１の除塵子５１と第２の濾過フィルター２７ｂとを一体化すると、第１の除塵子５１の挙動が減衰せずにそのまま第２の濾過フィルター２７ｂに伝わり、良好な除塵効果が得られる。
【００５４】
図６に示すように、第１の除塵子５１は、構成材料を部分的に中抜きした肉ぬすみ６２を形成しているから、剛性を保ちながらその重量を軽量化して、振動子モーター５５から与えられた振動エネルギーが減衰することを防止できる。
【００５５】
次に、第２の枠体柱６３は、第１の濾過フィルター２７ａ外周の４方向に配置され、第１の濾過フィルター２７ａの強度を補強している。また、第２の枠体柱６３は、半径方向に突出した複数の保持リブ７３を有し、リング状の第２の除塵子５７を摺動可能に保持している。
【００５６】
リング状の第２の除塵子５７は、第２の枠体柱６３に対応した位置に切り欠き部６４を
設けており、第２の枠体柱６３と接しないで、かつフィルター面に部分的に接するように配置して、第２の除塵子５７と第１の濾過フィルター２７ａを組みつけている。また、第２の除塵子５７外周の数箇所に振動伝播部６５を設けており、振動伝播部６５は第２の濾過フィルター２７ｂの内側に当接している。これにより、第２の濾過フィルター２７ｂを介して、第２の除塵子５７の振動伝播部６５と第１の除塵子５１とを当接させることができ、振動子モーター５５の振動エネルギーを殆んど減衰しないで第１の濾過フィルター２７ａに伝えることができる。
【００５７】
なお、第２の除塵子５７と第１の濾過フィルター２７ａのフィルター面とを接着剤で接着して、第２の除塵子５７と第１の濾過フィルター２７ａとを一体化すると、第２の除塵子５７の挙動が減衰せずにそのまま第１の濾過フィルター２７ａに伝わり易く、良好な除塵効果が得られる。
【００５８】
次に第１の濾過フィルター２７ａ、および第２の濾過フィルター２７ｂに対する除塵動作について説明する。
【００５９】
振動子モーター５５は、径が約５ｍｍ、全長は約１５ｍｍの小型モーターの回転軸に偏心させた分銅５８を取り付けたもので、その分銅５８を高速回転するものである。振動子モーター５５は、４０００〜２００００ｒ／ｍｉｎ、好ましくは７０００〜１２０００ｒ／ｍｉｎという回転数で、偏心した分銅５８を高速回転させて、振動子モーター５５自体を円運動或いは楕円運動させて、第２の濾過フィルター２７ｂを振動させるものである。
【００６０】
本実施の形態では、振動子モーター５５をリング状の第１の除塵子５１の一端に組み付けているため、振動子モーター５５の高速な振動をフィルター面に伝播させると、第１の除塵子５１は振動子モーター５５の取り付け位置とほぼ対称位置となる部分を支点にした振れが生じ、より大きい振動を第２の濾過フィルター２７ｂのフィルター面に与えることができる。
【００６１】
第１の除塵子５１は、前後左右に円弧軌道を描くようにして、振動子モーター５５の回転数で高速に振動する。その振動で第２の濾過フィルター２７ｂの運動方向が切り変わる瞬間、フィルター面に付着している細塵は、慣性により第２の濾過フィルター２７ｂの運動方向に追随して切り変わらないから、フィルター面から浮き上がって剥離される。その結果、フィルター面に付着した塵埃の除塵を行うことができる。
【００６２】
また、第２の濾過フィルター２７ｂをプリーツ折りし、かつ、第２の濾過フィルター２７ｂ形状に第１の除塵子５１の形状を第２の濾過フィルター２７ｂの外形形状に合わせているため、除塵子はフィルター面を確実に振動させることができる。さらには、第２の濾過フィルター２７ｂは略円筒状、第１の除塵子５１をリング状にしているため、先述した通り、第２の濾過フィルター２７ｂの各ポイントには前後左右の振動が寄与することができ、除塵効率を向上させることができる。
【００６３】
そして、第１の濾過フィルター２７ａに取り付けた第２の除塵子５７の振動伝播部６５が第２の濾過フィルター２７ｂに嵌合しているため、第２の濾過フィルター２７ｂの振動と一緒になって第１の濾過フィルター２７ａも振動する。例え、第１の濾過フィルター２７ａ表面に、粗塵に含まれる綿毛の一部が第１の濾過フィルター２７ａの通気孔３０に引っ掛かってフィルター面に付着しても、第１の濾過フィルター２７ａが円弧の軌跡を描くように前後左右に高速に振動し、第１の濾過フィルター２７ａのフィルター面に付着した粗塵を振り落とすことができる。
【００６４】
さらに、掃除作業で電動送風機２１を運転している際中に、この振動子モーター５５に
よる高速振動を同時に行えば、吸引口６から第１の濾過フィルター２７ａの通気孔３０を通過する含塵空気が、フィルター面に垂直な方向の流れであるのに対して、第１の濾過フィルター２７ａの通気孔３０が左右方向へ高速移動するから、塵埃が通気孔３０を通過する確率を下げることになり、濾過フィルターの濾過性能を向上することができる。
【００６５】
ここで、本実施の形態では、第１の濾過フィルター２７ａおよび第２の濾過フィルター２７ｂを略円筒状に形成しているが、平板状に構成しても良く、振動子モーターからフィルター面に振動を与えることができ、同等の除塵効果を得ることができる。
【００６６】
（第２の実施の形態）
図８は、実施の形態２における除塵子の構成を示す断面図である。なお、上述した実施の形態１と重複する構成については、同一符号を記載して説明を省略する。
【００６７】
同図に示すように、集塵ケース５内の開口部２５に電池収納部８２を構成し、振動子モーター５５の駆動電源となる充電池８１を電池収納部８２内に収納し、掃除機本体１の接点部（図示せず）と電気接触させる接点部（図示せず）を設けている。そして、集塵ケース５を掃除機本体１にセットしたとき、その接点部を介して、掃除機本体１側より電力が供給されるようにしている。
【００６８】
掃除機本体１に集塵ケース５を設置して、掃除作業を行っている最中は、充電池８１は掃除機本体１側から供給された電力で充電される。掃除作業を完了後、掃除機本体１内のマイクロコンピュ−タの動作または掃除作業者のスイッチ操作により、掃除機本体１から振動子モーター５５へ電力を供給し、振動子モーター５５の駆動で濾過フィルターを振動させ、濾過フィルターの除塵を行う。
【００６９】
そして、集塵ケース５のお手入れ掃除のために、集塵ケース５を掃除機本体１より取り外した際、充電池８１から振動子モーター５５への電力供給が行われ、振動子モーター５５で濾過フィルターを振動させて除塵を行うことができる。このため、ゴミ捨てや濾過フィルターのメンテナンスが容易であり、濾過フィルターに手を触れることなく、メンテナンス作業をすることができる。
【００７０】
更にまた、集塵ケース５にスイッチ（図示せず）を増設すれば、集塵ケース５を掃除機本体１より取り外して持ち歩いた先で、掃除作業者の意図に応じて動作させることができ、マイクロコンピュ−タ等の自動動作による塵埃の取り残しを見つければ、掃除作業者のスイッチ操作で追加して除塵動作を行うことができるので、掃除作業者にとって使い勝手が良いる
【産業上の利用可能性】
【００７１】
以上説明したように、本発明によれば、フィルター面に付着した塵埃を効率的に除去することができ、濾過フィルターの清掃や塵埃の排出などのメンテナンス作業の負担を軽減できるもので、家庭用電気掃除機だけでなく、業務用電気掃除機などさまざま種類の掃除機に使用することが可能となる。
【符号の説明】
【００７２】
５  集塵ケース
２１  電動送風機
２７ａ  第１の濾過フィルター
２７ｂ  第２の濾過フィルター
５５  振動子モーター
６５  振動伝播部
８１  充電池
【図１】
2011055975.tif 000003
【図２】
2011055975.tif 000004
【図３】
2011055975.tif 000005
【図４】
2011055975.tif 000006
【図５】
2011055975.tif 000007
【図６】
2011055975.tif 000008
【図７】
2011055975.tif 000009
【図８】
2011055975.tif 000010